【手続補正書】
【提出日】平成18年10月6日(2006.10.6)
【手続補正１】
【補正対象書類名】明細書
【補正対象項目名】発明の名称
【補正方法】変更
【補正の内容】
【発明の名称】感染予防治療剤、抗エンドトキシン剤、ワクチンアジュバント剤および成長促進剤
【手続補正２】
【補正対象書類名】明細書
【補正対象項目名】特許請求の範囲
【補正方法】変更
【補正の内容】
【特許請求の範囲】
【請求項１】  甘蔗由来のエキスを有効成分とする感染予防治療剤。
【請求項２】  甘蔗由来のエキスが、甘蔗汁、甘蔗の溶媒抽出液および甘蔗由来の糖蜜より選ばれる原料を、固定担体を用いたカラムクロマトグラフィーで処理することにより得られる画分である請求項１記載の感染予防治療剤。
【請求項３】  甘蔗由来のエキスが、甘蔗汁、甘蔗の溶媒抽出液および甘蔗由来の糖蜜より選ばれる原料を、固定担体としての合成吸着剤を充填したカラムに通液し、該合成吸着剤に吸着された成分を、水、メタノール、エタノール及びこれらの混合物から選ばれる溶媒で溶出することにより得られる画分である請求項２記載の感染予防治療剤。
【請求項４】  甘蔗由来のエキスが、甘蔗汁、甘蔗の溶媒抽出液および甘蔗由来の糖蜜より選ばれる原料を、固定担体としてのイオン交換樹脂を充填したカラムでの親和力の差を利用したカラムクロマトグラフィー処理により分離して得られる画分のうち、波長４２０ｎｍの光を吸収する画分である請求項２記載の感染予防治療剤。
【請求項５】  イオン交換樹脂が陽イオン交換樹脂である請求項４記載の感染予防治療剤。
【請求項６】  陽イオン交換樹脂が強酸性陽イオン交換樹脂である請求項５記載の感染予防治療剤。
【請求項７】  強酸性陽イオン交換樹脂がナトリウムイオン型もしくはカリウムイオン型である請求項６記載の感染予防治療剤。
【請求項８】  イオン交換樹脂がゲル型である請求項４〜７のいずれか一項記載の感染予防治療剤。
【請求項９】  カラムクロマトグラフィー処理が擬似移動床式連続分離法で行われる請求項４〜８のいずれか一項記載の感染予防治療剤。
【請求項１０】  波長４２０ｎｍの光を吸収する画分を更に電気透析処理に付して塩分を低減したところの、請求項４〜９のいずれか一項記載の感染予防治療剤。
【請求項１１】  甘蔗由来のエキスが、バガスを水、親水性溶剤、またはこれらの混合物で抽出して得られるものである請求項１記載の感染予防治療剤。
【請求項１２】  親水性溶媒がエタノールである請求項１１記載の感染予防治療剤。
【請求項１３】  抽出のための親水性溶媒が、６０／４０体積比以下の比でエタノールを含むエタノール−水混合溶媒である請求項１１記載の感染予防治療剤。
【請求項１４】  請求項１〜１３のいずれか一項記載の感染予防治療剤を含む食品。
【請求項１５】  請求項１〜１３のいずれか一項記載の感染予防治療剤を含む飼料。
【請求項１６】  甘蔗由来のエキスを有効成分とするワクチンアジュバント剤。
【請求項１７】  甘蔗由来のエキスが、甘蔗汁、甘蔗の溶媒抽出液および甘蔗由来の糖蜜より選ばれる原料を、固定担体を用いたカラムクロマトグラフィーで処理することにより得られる画分である請求項１６記載のワクチンアジュバント剤。
【請求項１８】  甘蔗由来のエキスが、甘蔗汁、甘蔗の溶媒抽出液および甘蔗由来の糖蜜より選ばれる原料を、固定担体としての合成吸着剤を充填したカラムに通液し、該合成吸着剤に吸着された成分を、水、メタノール、エタノール及びこれらの混合物から選ばれる溶媒で溶出することにより得られる画分である請求項１７記載のワクチンアジュバント剤。
【請求項１９】  甘蔗由来のエキスが、甘蔗汁、甘蔗の溶媒抽出液および甘蔗由来の糖蜜より選ばれる原料を、固定担体としてのイオン交換樹脂を充填したカラムでの親和力の差を利用したカラムクロマトグラフィー処理により分離して得られる画分のうち、波長４２０ｎｍの光を吸収する画分である請求項１７記載のワクチンアジュバント剤。
【請求項２０】  イオン交換樹脂が陽イオン交換樹脂である請求項１９記載のワクチンアジュバント剤。
【請求項２１】  陽イオン交換樹脂が強酸性陽イオン交換樹脂である請求項２０記載のワクチンアジュバント剤。
【請求項２２】  強酸性陽イオン交換樹脂がナトリウムイオン型もしくはカリウムイオン型である請求項２１記載のワクチンアジュバント剤。
【請求項２３】  イオン交換樹脂がゲル型である請求項１９〜２２のいずれか一項記載のワクチンアジュバント剤。
【請求項２４】  カラムクロマトグラフィー処理が擬似移動床式連続分離法で行われる請求項１９〜２３のいずれか一項記載のワクチンアジュバント剤。
【請求項２５】  波長４２０ｎｍの光を吸収する画分を更に電気透析処理に付して塩分を低減したところの、請求項１９〜２４のいずれか一項記載のワクチンアジュバント剤。
【請求項２６】  甘蔗由来のエキスが、バガスを水、親水性溶剤、またはこれらの混合物で抽出して得られるものである請求項１６記載のワクチンアジュバント剤。
【請求項２７】  抽出時の親水性溶剤がエタノールである請求項２６記載のワクチンアジュバント剤。
【請求項２８】  抽出のための溶媒が、６０／４０体積比以下の比でエタノールを含むエタノール−水混合溶媒である請求項２６記載のワクチンアジュバント剤。
【請求項２９】  請求項１６〜２８のいずれか一項記載のワクチンアジュバント剤を含む食品。
【請求項３０】請求項１６〜２８のいずれか一項記載のワクチンアジュバント剤を含む飼料。
【請求項３１】甘蔗由来のエキスを有効成分とする抗エンドトキシン剤。
【請求項３２】甘蔗由来のエキスが、甘蔗汁、甘蔗の溶媒抽出液および甘蔗由来の糖蜜より選ばれる原料を、固定担体を用いたカラムクロマトグラフィーで処理することにより得られる画分である請求項３１記載の抗エンドトキシン剤。
【請求項３３】  甘蔗由来のエキスが、甘蔗汁、甘蔗の溶媒抽出液および甘蔗由来の糖蜜より選ばれる原料を、固定担体としての合成吸着剤を充填したカラムに通液し、該合成吸着剤に吸着された成分を、水、メタノール、エタノール及びこれらの混合物から選ばれる溶媒で溶出することにより得られる画分である請求項３２記載の抗エンドトキシン剤。
【請求項３４】  甘蔗由来のエキスが、甘蔗汁、甘蔗の溶媒抽出液および甘蔗由来の糖蜜より選ばれる原料を、固定担体としてのイオン交換樹脂を充填したカラムでの親和力の差を利用したカラムクロマトグラフィー処理により分離して得られる画分のうち、波長４２０ｎｍの光を吸収する画分である請求項３２記載の抗エンドトキシン剤。
【請求項３５】  イオン交換樹脂が陽イオン交換樹脂である請求項３４記載の抗エンドトキシン剤。
【請求項３６】  陽イオン交換樹脂が強酸性陽イオン交換樹脂である請求項３５記載の抗エンドトキシン剤。
【請求項３７】  強酸性陽イオン交換樹脂がナトリウムイオン型もしくはカリウムイオン型である請求項３６記載の抗エンドトキシン剤。
【請求項３８】  イオン交換樹脂がゲル型である請求項３４〜３７のいずれか一項記載の抗エンドトキシン剤。
【請求項３９】  カラムクロマトグラフィー処理が擬似移動床式連続分離法で行われる請求項３４〜３８のいずれか一項記載の抗エンドトキシン剤。
【請求項４０】  波長４２０ｎｍの光を強く吸収する画分を更に電気透析処理に付して塩分を低減したところの、請求項３４〜３９のいずれか一項記載の抗エンドトキシン剤。
【請求項４１】  甘蔗由来のエキスが、バガスを水、親水性溶剤、またはこれらの混合物で抽出して得られるものである請求項３１記載の抗エンドトキシン剤。
【請求項４２】  親水性溶剤がエタノールである請求項４１記載の抗エンドトキシン剤。
【請求項４３】  抽出のための溶媒が、６０／４０体積比以下の比でエタノールを含むエタノール−水混溶媒である請求項４１記載の抗エンドトキシン剤。
【請求項４４】  請求項３１〜４３のいずれか一項記載の抗エンドトキシン剤を含む食品。
【請求項４５】  請求項３１〜４３のいずれか一項記載の抗エンドトキシン剤を含む飼料。
【請求項４６】  甘蔗由来のエキスを有効成分とする成長促進剤。
【請求項４７】  甘蔗由来のエキスが、甘蔗汁、甘蔗の溶媒抽出液および甘蔗由来の糖蜜より選ばれる原料を、固定担体を用いたカラムクロマトグラフィーで処理することにより得られる画分である請求項４６記載の成長促進剤。
【請求項４８】  甘蔗由来のエキスが、甘蔗汁、甘蔗の溶媒抽出液および甘蔗由来の糖蜜より選ばれる原料を、固定担体としての合成吸着剤を充填したカラムに通液し、該合成吸着剤に吸着された成分を、水、メタノール、エタノール及びこれらの混合物から選ばれる溶媒で溶出することにより得られる画分である請求項４７記載の成長促進剤。
【請求項４９】  甘蔗由来のエキスが、甘蔗汁、甘蔗の溶媒抽出液および甘蔗由来の糖蜜より選ばれる原料を、固定担体としてのイオン交換樹脂を充填したカラムでの親和力の差を利用したカラムクロマトグラフィー処理により分離して得られる画分のうち、波長４２０ｎｍの光を吸収する画分である請求項４７記載の成長促進剤。
【請求項５０】  イオン交換樹脂が陽イオン交換樹脂である請求項４９記載の成長促進剤。
【請求項５１】  陽イオン交換樹脂が強酸性陽イオン交換樹脂である請求項５０記載の成長促進剤。
【請求項５２】  強酸性陽イオン交換樹脂がナトリウムイオン型もしくはカリウムイオン型である請求項５１記載の成長促進剤。
【請求項５３】  イオン交換樹脂がゲル型である請求項４９〜５２のいずれか一項記載の成長促進剤。
【請求項５４】  カラムクロマトグラフィー処理が擬似移動床式連続分離法で行われる請求項４９〜５３のいずれか一項記載の成長促進剤。
【請求項５５】  波長４２０ｎｍの光を吸収する画分を更に電気透析処理に付して塩分を低減したところの、請求項４９〜５４のいずれか一項記載の成長促進剤。
【請求項５６】  甘蔗由来のエキスが、バガスを水、親水性溶剤、またはこれらの混合物で抽出して得られるものである請求項４６記載の成長促進剤。
【請求項５７】  親水性溶剤がエタノールである請求項５６記載の成長促進剤。
【請求項５８】  抽出のための溶媒が、６０／４０体積比以下の比でエタノールを含むエタノール−水混溶媒である請求項５６記載の成長促進剤。
【請求項５９】  請求項４６〜５８のいずれか一項記載の成長促進剤を含む食品。
【請求項６０】  請求項４６〜５８のいずれか一項記載の成長促進剤を含む飼料。
【請求項６１】  前記感染予防剤が細菌感染予防治療剤である請求項１〜１３のいずれか一項記載の感染予防治療剤。
【請求項６２】  前記感染予防剤が真菌感染予防治療剤である請求項１〜１３のいずれか一項記載の感染予防治療剤。
【請求項６３】  前記感染予防剤がウィルス感染予防治療剤である請求項１〜１３のいずれか一項記載の感染予防治療剤。
【請求項６４】  甘蔗由来のエキスが分子量１０００以下の成分を有効成分として含む請求項６３記載のウィルス感染予防治療剤。
【手続補正３】
【補正対象書類名】明細書
【補正対象項目名】００２０
【補正方法】変更
【補正の内容】
【００２０】
また、従来報告されてきたワクチンアジュバント剤としては、化合物アジュバント、無機アジュバント、生物的アジュバントなどがあり、これらは、精製された化合物、無機物、あるいは細菌の生産するエンテロトキシンやエンドトキシンなどを無毒化したものであった。従来用いられているアジュバントは、効果の発現が不安定であり、IgEを産生すると言う副作用が発現する場合もあった。しかし最近は、天然のより安全性の高いアジュバントを望まれるようになり、また経口投与により効果が発揮されるものが特に望まれている。